(57)【要約】【課題】画像情報検出部をケース内に収容した画像情報検出用カセッテにおいて、カセッテが落下して、落下の衝撃によりカセッテが破損した場合等の取扱者の安全性を向上させる。【解決手段】取扱者が搬送時等に誤って画像情報検出用カセッテ１を落下させ、加速度センサ３１から１／２・Ｇ（重力加速度）以上の加速度が出力されると、状態判定部２７においてカセッテ２には異常状態が生じていると判定される。制御部２６は、光照射部ロック機構３７により読取光照射部１３を固定し、電力供給禁止モード信号を電力供給制御部２５へ出力する。電力供給制御部２５では、バッテリー３０を電力供給用配線３９から電気的に切り離し、各部位への電力供給を禁止する。【選択図】          図２
2005003755.tif 000002
【特許請求の範囲】
【請求項１】
画像情報を担持した記録光の照射により発生した電荷を蓄積することにより前記画像情報を記録する画像情報検出部と、該画像情報検出部に記録用の電圧を印加する検出部駆動手段と、前記画像情報検出部に記録された前記画像情報に応じた画像信号を読み出す読出手段と、電源に接続され、前記検出部駆動手段および前記読出手段に電力を供給する電力供給手段と、前記画像情報検出部、前記検出部駆動手段、前記読出手段、前記電力供給手段を収容するケースとを有する画像情報検出用カセッテにおいて、
前記画像情報検出部、前記検出部駆動手段または前記読出手段における異常状態を検知する異常検知手段と、
該異常検知手段により前記異常状態が検知された場合に、前記電力供給手段から前記検出部駆動手段への電力供給を禁止する電力供給禁止手段とを備えたことを特徴とする画像情報検出用カセッテ。
【請求項２】
画像情報を担持した記録光の照射により発生した電荷を蓄積することにより前記画像情報を記録する画像情報検出部と、該画像情報検出部に記録用の電圧を印加する検出部駆動手段と、前記画像情報検出部に記録された前記画像情報に応じた画像信号を読み出す読出手段と、電源に接続され、前記検出部駆動手段および前記読出手段に電力を供給する電力供給手段と、前記画像情報検出部、前記検出部駆動手段、前記読出手段、前記電力供給手段を収容するケースとを有する画像情報検出用カセッテにおいて、
加速度センサと、
該加速度センサで検知された加速度が危険所定値以上となる異常加速状態であることを判定する異常加速状態判定手段と、
該異常加速状態判定手段により前記異常加速状態であると判定された場合に、前記電力供給手段から前記検出部駆動手段への電力の供給を禁止する電力供給禁止手段とを備えたことを特徴とする画像情報検出用カセッテ。
【請求項３】
前記加速度センサで検知された加速度が、０より大きく前記危険所定値より小さい非使用所定値より大きく、かつ前記危険所定値より小さい場合に、前記加速度に基づいて非使用状態であると判定する非使用状態判定手段と、
該非使用状態判定手段により非使用状態であると判定された場合に、前記検出部駆動手段または前記読出手段への電力供給を抑制する電力供給抑制手段を備えたことを特徴とする請求項２記載の画像情報検出用カセッテ。
【請求項４】
前記電力供給禁止手段が、前記電力供給を禁止する際に、前記電源を前記電力供給手段から電気的に切り離すものであることを特徴とする請求項１から３いずれか１項記載の画像情報検出用カセッテ。
【請求項５】
前記電力供給禁止手段が電力供給を禁止した場合に、電力供給が禁止されたことを報知する禁止状態報知手段を備えたことを特徴とする請求項１から４いずれか１項記載の画像情報検出用カセッテ。
【発明の詳細な説明】
【０００１】
【発明の属する技術分野】
本発明は、画像情報を担持した記録光の照射により発生した電荷を蓄積することにより前記画像情報を記録する画像情報検出部と、該画像情報検出部を収容するケースとを備えてなる画像情報検出用カセッテに関するものである。
【０００２】
【従来の技術】
今日、医療診断等を目的とするＸ線撮影等において、画像情報を担持した記録光（Ｘ線等）の照射により発生した電荷を蓄積することにより画像情報を記録する画像情報検出部を有する画像情報検出装置が各種提案、実用化されている（例えば、特許文献１参照）。
【０００３】
この装置において使用される画像情報検出部としては、種々のタイプのものが提案されているが、蓄積された電荷を外部に読み出す電荷読出プロセスの面から、検出部を読取光により走査して読み出す光走査読出方式のものと、検出部に組み込まれたＴＦＴ（薄膜トランジスタ）等を電気的に走査駆動して読み出す電気走査読出方式のものとが広く知られている。
【０００４】
また、上記の画像情報検出装置をケースに収容した画像情報検出用カセッテも提案されている（例えば、特許文献２参照）。このような画像情報検出用カセッテは、取り扱い易く、また持ち運びが可能であるという利点がある。
【０００５】
【特許文献１】
特開２０００−１０５２９７号公報
【０００６】
【特許文献２】
特開２０００−２１７８０５号公報
【０００７】
【発明が解決しようとする課題】
しかしながら、上記のような画像情報検出用カセッテにおいては、異常状態が生じた場合の取扱者の安全性に対しては十分な配慮されていない。例えば画像情報検出用カセッテを搬送している際に、このカセッテが落下した場合等には、落下の衝撃により内部の回路が破損して、取扱者に感電などの危険がおよぶ虞がある。また、内部に故障が生じた場合等にも、取扱者に危険がおよぶ虞がある。特に高電圧を印加する回路を含む場合は、非常に危険である。
【０００８】
本発明は、上記のような事情に鑑み、異常状態が発生した場合における、取扱者の安全性を向上できる画像情報検出用カセッテを提供することを目的とするものである。
【０００９】
【課題を解決するための手段】
本発明の画像情報検出用カセッテは、画像情報を担持した記録光の照射により発生した電荷を蓄積することにより前記画像情報を記録する画像情報検出部と、該画像情報検出部に記録用の電圧を印加する検出部駆動手段と、前記画像情報検出部に記録された前記画像情報に応じた画像信号を読み出す読出手段と、電源に接続され、前記検出部駆動手段および前記読出手段に電力を供給する電力供給手段と、前記画像情報検出部、前記検出部駆動手段、前記読出手段、前記電力供給手段を収容するケースとを有する画像情報検出用カセッテにおいて、
前記画像情報検出部、前記検出部駆動手段または前記読出手段における異常状態を検知する異常検知手段と、
該異常検知手段により異常状態が検知された場合に、前記電力供給手段から前記検出部駆動手段への電力供給を禁止する電力供給禁止手段とを備えたことを特徴とするものである。
【００１０】
本発明の他の画像情報検出用カセッテは、画像情報を担持した記録光の照射により発生した電荷を蓄積することにより前記画像情報を記録する画像情報検出部と、該画像情報検出部に記録用の電圧を印加する検出部駆動手段と、前記画像情報検出部に記録された前記画像情報に応じた画像信号を読み出す読出手段と、電源に接続され、前記検出部駆動手段および前記読出手段に電力を供給する電力供給手段と、前記画像情報検出部、前記検出部駆動手段、前記読出手段、前記電力供給手段を収容するケースとを有する画像情報検出用カセッテにおいて、
加速度センサと、
該加速度センサで検知された加速度が危険所定値以上となる異常加速状態であることを判定する異常加速状態判定手段と、
該異常加速状態判定手段により前記異常加速状態であると判定された場合に、前記電力供給手段から前記検出部駆動手段への電力の供給を禁止する電力供給禁止手段とを備えたことを特徴とするものである。
【００１１】
なお、上記各画像情報検出用カセッテにおいて、「記録光」とは、記録すべき画像情報を担持した電磁波を意味する。具体例としては、被写体の画像情報を担持する記録用の放射線や、該記録用の放射線をシンチレータ（蛍光体）に照射することにより、シンチレータ内で発生される光などを挙げることができる。
【００１２】
また、「画像信号を読み出す読出手段」は、光学的あるいは電気的に画像情報検出部を走査しつつ、画像情報を読み出すものを意味し、例えば読取光による光走査により画像情報を読み出す場合であれば、読取光による走査および画像信号の読み取りを行う手段であり、一方ＴＦＴ等を電気的に走査駆動して画像情報を読み出す場合であれば、ＴＦＴの走査駆動および画像信号の読み取りを行う手段である。
【００１３】
「電力供給手段」とは、例えばバッテリー等の電源から各部位へ接続される電力供給用の配線、あるいは外部電源から電力が供給される場合であれば、電源端子および電力供給用の配線等を意味している。また、「電源」とは、内蔵されたバッテリーあるいは画像情報検出用カセッテへケーブル等で接続された外部電源等を意味している。
【００１４】
なお、「危険所定値」とは、通常の取り扱い状態ではこの値以上の加速度が生じる可能性が低い加速度を意味し、例えば１／２・Ｇ（重力加速度）等である。
【００１５】
また、上記画像情報検出用カセッテは、前記加速度センサで検知された加速度が、０より大きく前記危険所定値より小さい非使用所定値より大きく、かつ前記危険所定値より小さい場合に、前記加速度に基づいて非使用状態であると判定する非使用状態判定手段と、
該非使用状態判定手段により非使用状態であると判定された場合に、前記検出部駆動手段または前記読出手段への電力供給を抑制する電力供給抑制手段を備えたものであってもよい。
【００１６】
なお、「非使用所定値」とは、搬送している場合等の非使用時にこの値以上の加速度が生じる可能性が高い加速度を意味し、例えば１／２０・Ｇ等である。
【００１７】
上記「前記検出部駆動手段または前記読出手段への電力供給を抑制する電力供給抑制手段」とは、検出部駆動手段または読出手段に対して、各手段を構成する少なくとも一部の回路への電力供給を低減するあるいは停止することを意味している。なお、上記「一部の回路」として、電力消費量が相対的に多い回路や、電力供給量を定常量へ復帰した場合に、立ち上がりが早い回路等を選択してもよい。
【００１８】
前記電力供給禁止手段は、前記電力供給を禁止する際に、前記電源を前記電力供給手段から電気的に切り離すものであってもよい。
【００１９】
また、各画像情報検出用カセッテは、前記電力供給禁止手段が電力供給を禁止した場合に、電力供給が禁止されたことを報知する禁止状態報知手段を備えたものであってもよい。
【００２０】
上記「禁止状態報知手段」としては、取扱者が禁止状態であることを認識できる手段であればいかなる手段であってもよく、具体的には、色や光による表示や、ブザー等を挙げることができる。
【００２１】
【発明の効果】
本発明の画像情報検出用カセッテによれば、異常検知手段により画像情報検出部、検出部駆動手段または読出手段における異常状態が検知された場合、すなわち画像情報検出部、検出部駆動手段または読出手段のいずれかが故障している場合等には、電力供給手段から検出部駆動手段への電力供給が禁止されるため、検出部駆動手段の動作が停止され、画像情報検出部へ望ましくない電圧が付与されることがなく、取扱者の安全性が向上する。
【００２２】
本発明による他の画像情報検出用カセッテによれば、加速度センサで検知された加速度が危険所定値以上である場合、すなわち落下中等の場合には、電力供給手段から前記検出部駆動手段への電力供給が禁止されるため、検出部駆動手段の動作が停止され、例え画像情報検出用カセッテが落下の衝撃で破損した場合等でも、画像情報検出部へ望ましくない電圧が付与されることがなく、取扱者の安全性が向上する。
【００２３】
上記加速度センサで検知された加速度が、非使用所定値より大きくかつ前記危険所定値より小さく、この加速度に基づいて非使用状態であると判定された場合には、電力供給手段から前記検出部駆動手段または前記読出手段への電力供給が抑制されるため、画像情報検出用カセッテを搬送している際等の非使用時に電力消費を少なくすることができる。
【００２４】
上記電力供給禁止手段が、電力供給を禁止する際に、電源を電力供給手段から電気的に切り離すものであれば、一層確実に取扱者の安全性を向上することができる。
【００２５】
また、前記電力供給禁止手段が電力供給を禁止した場合に、電力供給が禁止されたことを報知する電力供給報知手段を備えるものであれば、取扱者は、電力供給が禁止されていることを容易に知ることができる。
【００２６】
【発明の実施の形態】
以下、図面を参照して本発明の実施の形態について詳細に説明する。図１は本発明の第１の実施形態である画像情報検出用カセッテ１の外観図であり、図２は画像情報検出用カセッテの要部構成図および回路ブロック図を示す図である。本画像情報検出用カセッテ１は、医療用のＸ線撮影に用いられるものであり、略直方体のケース１０と、該ケース１０にとりつけられた取っ手１１と、該ケース１０内に収容された画像情報検出部１２と、読取光照射部１３と、制御回路部２０と、バッテリー３０とを有している。
【００２７】
画像情報検出部１２は、被写体を透過した記録光であるＸ線の照射により発生した電荷を潜像電荷として蓄積することにより、Ｘ線に担持された被写体の画像情報を記録するものであり、Ｘ線を透過する第１の電極層、Ｘ線の照射を受けることにより導電性を呈する記録用光導電層、潜像電荷に対しては略絶縁体として作用し、かつ潜像電荷と逆極性の輸送電荷に対しては略導電体として作用する電荷輸送層、読取光の照射を受けることにより導電性を呈する読取用光導電層、および読取光を透過する第２の電極層をこの順に積層してなるものである。
【００２８】
画像情報を記録する際には、第１の電極と第２の電極間に高電圧が印加され、電界が付与された状態で、第１の電極層側からＸ線が照射され、照射されたＸ線の線量に応じた量の電荷が記録用光導電層と電荷輸送層との略界面に形成される蓄電部に潜像電荷として蓄積される。また読出しの際には、読取光照射部１３から射出される読取光で画像情報検出部１２を走査することにより、画像情報検出部１２に記録された画像情報が読み出される。
【００２９】
制御回路部２０は、画像情報を記録する際に、画像情報検出部１２へ高電圧を印加する検出部駆動部２１と、読出光照射部１３により画像情報検出部１２を光走査し、画像情報検出部１２に記録された画像情報に応じた画像信号を読み出す走査・読出部２２と、バッファメモリとして主に使用される揮発性メモリ２３と、着脱可能な不揮発性メモリ２４と、バッテリー３０に接続され、選択された電力供給モードに従って、各部位に供給する電力を制御する電力供給制御部２５と、検出部駆動部２１、走査・読出部２２、揮発性メモリ２３、不揮発性メモリ２４および電力供給制御部２５と接続され、各部位の動作を制御する制御部２６とを有している。なお、走査・読出部２２および読取光照射部１３は、本発明の読出手段として機能するものである。
【００３０】
また、制御部２６は、状態判定部２７を有し、加速度センサ３１と、使用者により押圧された場合に解除信号を制御部２６へ出力する解除スイッチ３２と、不図示のシステムコントローラに接続されたケーブルの接続端子と接続された接続端子３３と、Ｘ線が照射された際に警報音を発するＸ線ブザー３４と、後述する低消費電力モードであることを表示する低消費電力モード表示灯３５と、必要な情報、例えばＸ線レディ状態であること等を表示するマトリクス表示部３６と、必要に応じて読取光照射部１３を固定する光照射部ロック機構３７と、後述する電力供給禁止モードであることを表示する電力供給禁止モード表示部３８とに接続されている。なお、解除スイッチ３２としては、押圧された場合に点灯する表示機能を有するスイッチが用いられている。
【００３１】
Ｘ線撮影の前には、撮影メニュー、ＩＤ情報、記録時に必要な印加電圧あるいは読出速度等の種々のデータがシステムコントローラから、接続端子３３を介して、制御部２６へ入力される。Ｘ線の照射準備が整った時からＸ線の照射後までの間は、システムコントローラからＸ線レディ信号が制御部２６へ入力される。また、Ｘ線の照射時には、システムコントローラからＸ線照射信号が制御部２６へ入力される。画像信号の読み出しを行っている最中には、走査・読出部２２が、読出信号を制御部２６へ出力する。
【００３２】
制御部２６の状態判定部２７は、加速度センサ３１から入力される加速度信号、解除スイッチ３２から入力される解除信号、接続端子３３から入力されるＸ線レディ信号および走査・読出部２２から入力される読出信号とに基づいて、画像情報検出用カセッテ１の状態が、使用状態であるか、非使用状態であるか、あるいは異常加速状態であるかを判定するものである。
【００３３】
制御部２６は、状態判定部２７において、画像情報検出用カセッテ１が使用状態であると判定された場合には、電力供給モードとして、必要な全ての部位へ電力を供給する通常電力モードを設定し、非使用状態であると判定された場合には、一部の部位のみへ電力を供給し、他の部位への電力供給を停止する低消費電力モードを設定し、異常加速状態であると判定された場合には、電力供給モードとして、全ての部位への電力供給を停止する電力供給禁止モードを設定する。なお、制御部２６は、カセッテ１全般の動作も制御するものである。
【００３４】
バッテリー３０は電力供給制御部２５へ接続される。電力供給用配線３９は、電力供給制御部２５から、画像情報検出部１２、読取光照射部１３、検出部駆動部２１、走査・読出部２２、揮発性メモリ２３、不揮発性メモリ２４、制御部２７、加速度センサ３１、解除スイッチ３２、Ｘ線ブザー３４、低消費電力モード表示灯３５およびマトリクス表示部３６へ接続される。通常電力モードにおいては、バッテリー３０から電力供給制御部２５を介して各部位へ電力が供給されている。なお、図２において、図面の複雑化を防止するために、電力供給用配線３９の配線状態の記載は省略している。なお、状態判定部２７は本発明の異常加速状態判定手段および非使用状態判定手段として機能し、電力供給制御部２５は、電力供給禁止手段および電力供給抑制手段として機能するものである。
【００３５】
以下本実施の形態における画像情報検出用カセッテにおける動作を説明する。まず、画像情報の記録・読出動作について説明する。Ｘ線撮影に先立ち、不図示のシステムコントローラから、撮影メニュー、ＩＤ情報、記録時に必要な印加電圧あるいは読出速度等の種々のデータが、接続端子３３を介して制御部２６へ入力される。制御部２６は、これらの種々のデータを不揮発性メモリ２４へ保存し、必要に応じて読み出して使用する。なお、このような種々のデータを、予め記憶させた着脱可能な不揮発性メモリ２４を準備して、本画像情報検出用カセッテへ装着し、この不揮発性メモリ２４から必要に応じてデータを読み出してもよい。
【００３６】
Ｘ線の照射準備が整った時からＸ線の照射後までの間は、Ｘ線レディ信号が、不図示のシステムコントローラから接続端子３３を介して、制御部２６へ入力される。さらに、Ｘ線の照射時には、Ｘ線照射信号が制御部２６へ入力される。
【００３７】
Ｘ線レディ信号が制御部２６へ入力されると、制御部２６は、検出部駆動部２１を制御して、画像情報検出部１２へ、記録用の高電圧を印加する。また、マトリクス表示部３６へ、Ｘ線レディ状態であることを表示する。
【００３８】
次に、システムコントローラの制御により、不図示のＸ線照射部からＸ線が射出される。被写体を透過したＸ線は、画像情報検出部１２へ照射される。画像情報検出部１２では、照射されたＸ線の線量に応じた量の電荷が潜像電荷として蓄積される。なお、Ｘ線の照射時には、システムコントローラからＸ線照射信号が制御部２６へ入力される。制御部２６は、Ｘ線の照射時には、Ｘ線ブザー３４を作動させ、警報音を発して、Ｘ線の照射を報知する。
【００３９】
読み出しの際には、制御部２６は、走査・読出部２２を制御して、読取光照射部１３から射出される読取光で画像情報検出部１２を走査することにより、画像情報検出部１２に記録された画像情報を読み出す。
【００４０】
次に、電力供給モードの制御動作について説明する。まず状態判定部２７における状態判定動作について、図３に示すフローチャートを用いて説明する。
【００４１】
ステップ１０１で、加速度センサ３１から非使用加速度である１／２０・Ｇ（重力加速度）以上の加速度信号が入力されているか否かを判定する。入力されていなければステップ１０７へ進み、カセッテ１は使用状態であると判定する。入力されていればステップ１０２へ進む。ステップ１０２においては、加速度信号が危険加速度である１／２・Ｇ（重力加速度）以上であるか否かを判定する。加速度信号が１／２・Ｇより大きければ、ステップ１０８へ進み、異常加速状態であると判定する。加速度信号が１／２・Ｇ以下であればステップ１０３へ進む。
【００４２】
ステップ１０３では、走査・読出回路２２から読出信号が入力されているか否かを判定する。読出信号が入力されていれば、ステップ１０７へ進む。読出信号が入力されていなければ、ステップ１０４へ進む。
【００４３】
ステップ１０４では、外部のシステムコントローラからＸ線レディ信号が入力されているか否かを判定する。Ｘ線レディ信号が入力されていれば、ステップ１０７へ進む。Ｘ線レディ信号が入力されていなければ、ステップ１０５へ進む。
【００４４】
ステップ１０５では、解除スイッチ３２から解除信号が入力されているか否かを判定する。解除信号が入力されていれば、ステップ１０７へ進む。解除信号が入力されていなければ、ステップ１０６へ進む。
【００４５】
ステップ１０６では、状態判定部２７は、カセッテ１は非使用状態であると判定し、その後ステップ１０１へ戻る。
【００４６】
ステップ１０７では、カセッテ１は使用状態であると判定し、その後ステップ１０１へ戻る。ステップ１０８では、カセッテ１は異常加速状態であると判定する。
【００４７】
上記の判定処理により、状態判定部２７において、カセッテ１は使用状態であると判定されると、制御部２６は、電力供給モードとして、通常電力モードを選択し、通常電力モード信号を電力供給制御部２５へ供給する。電力供給制御部２５では、各部位へ電力を供給する。なお、光照射部ロック機構３７が作動している場合には、その作動を停止し、読取光照射部１３の固定を解除する。なお、解除スイッチ３２が押圧されている場合には、解除スイッチ３２が点灯し、解除スイッチ３２が押圧されていることを報知する。
【００４８】
また、状態判定部２７において、カセッテ１は非使用状態であると判定されると、制御部２６は、電力モードとして、低消費電力モードを選択し、低消費電力モード信号を電力供給制御部２５へ供給する。電力供給制御部２５では、画像情報検出部１２、読取光照射部１３、検出部駆動部２１、不揮発性メモリ２４、Ｘ線ブザー３４、およびマトリクス表示部３６への電力供給を停止し、走査・読出部２２、揮発性メモリ２３、制御部２７、加速度センサ３１、解除スイッチ３２、低消費電力モード表示灯３５へ電力を供給する。また、制御部２６は、低消費電力モード表示灯３５を点灯させ、低消費電力モードであることを報知し、さらに光照射部ロック機構３７を作動させて、読取光照射部１３を固定する。
【００４９】
なお、走査・読出部２２および制御部２７への電力供給は、必ずしも通常と同様の電力供給を行う必要はなく、低消費電力モードを維持するために必要な回路のみへ電力を供給してもよいし、あるいは低消費電力モードを維持するために必要な回路に加えて、低消費電力モードが解除された場合に、直ちに通常電力モードへ移行するために動作させておくことが望ましい回路、例えば立ち上がりに時間がかかる回路等へ電力を供給し、他の回路への電力供給を停止してもよい。
【００５０】
また、状態判定部２７において、カセッテ１は異常加速状態であると判定されると、制御部２６は、電力モードとして、電力供給禁止モードを選択する。まず、電力供給禁止モード表示部３８を電力供給禁止モード表示状態へ設定し、また、加速度信号値を不揮発性メモリ２４へ記憶させ、読取光照射部１３が固定されていない場合には、光照射部ロック機構３７を作動させて、読取光照射部１３を固定する。その後、電力供給禁止モード信号を電力供給制御部２５へ供給する。電力供給制御部２５では、バッテリー３０を電力供給配線３９から電気的に切り離し、全ての部位への電力供給を停止する。なお、このバッテリー３０を電力供給配線３９から電気的に切り離した状態は、自動的に解除されることはなく、解除するためには、予め設定された手順による特別な手動操作が必要である。
【００５１】
上記のような電力供給制御動作により、加速度センサ３１から１／２０・Ｇ以上の加速度信号が出力されていない場合には、ステップ１０１からステップ１０７へ進み、状態判定部２７は、カセッテ１は使用状態であると判定し、電力モードとしては通常電力モードが設定される。
【００５２】
一方、加速度センサから１／２０・Ｇ以上でかつ１／２・Ｇ以下の加速度信号が出力されていても、例えば画像情報を読み出し中であって、走査・読出回路２２から読出信号が出力されている場合には、ステップ１０３からステップ１０７へ進むため、状態判定部２７は、カセッテ１は使用状態であると判定し、電力モードとしては通常電力モードが設定される。
【００５３】
また、加速度センサ３１から１／２０・Ｇ以上でかつ１／２・Ｇ以下の加速度信号が出力されていても、例えばＸ線照射準備中であって、外部のシステムコントローラからＸ線レディ信号が出力されていれば、ステップ１０４からステップ１０７へ進むため、状態判定部２７は、カセッテ１は使用状態であると判定し、電力モードとしては通常電力モードへ設定される。このため、カセッテ１の使用中に軽い振動が生じても、電力供給モードが低消費電力モードへ設定されてしまうことが防止できる。
【００５４】
さらに、加速度センサ３１から１／２０・Ｇ以上でかつ１／２・Ｇ以下の加速度信号が出力されていても、使用者が解除スイッチ３２を押圧すれば、解除信号が制御部２６へ入力され、ステップ１０５からステップ１０７へ進むため、状態判定部２７は、カセッテ１は使用状態であると判定し、電力モードとしては通常電力モードが設定される。
【００５５】
すなわち、画像情報の読み出し中や、Ｘ線照射準備中あるいは使用者が解除スイッチ３２を押圧した際等には、例え加速度センサ３１から加速度信号（１／２０・Ｇ以上で１／２・Ｇ以下）が出力されていても画像情報検出用カセッテ１は使用中であると判定され、通常の電力供給が行われる通常電力モードが設定されるので、カセッテ１の使用中に低消費電力モードが設定されてしまうことを防止できる。
【００５６】
また、例えばカセッテ１を搬送しているため、加速度センサ３１から１／２０・Ｇ以上でかつ１／２・Ｇ以下の加速度信号が出力され、走査・読出回路２２から読出信号が出力されていず、外部のシステムコントローラからＸ線レディ信号が出力されていず、解除スイッチ３２から解除信号が出力されていない場合、すなわち、画像情報検出用カセッテ１を使用していない場合には、ステップ１０１からステップ１０２、ステップ１０３、ステップ１０４、ステップ１０５およびステップ１０６へ進むため、使用状態判定部２７は、カセッテ１は非使用状態であると判定し、電力モードとしては、低消費電力モードが設定される。このため、消費電力は少なくなる。
【００５７】
一方、取扱者がカセッテ１を落下させた場合等には、加速度センサから１／２・Ｇより大きい加速度信号が出力され、ステップ１０２からステップ１０８へ進み、状態判定部２７は、カセッテ１は異常加速状態であると判定し、電力モードとしては電力供給禁止モードが設定される。このためカセッテ１が床等に衝突して破損する前に、各部位への電力の供給が禁止される。
【００５８】
以上の説明で明かなように、本実施の形態における画像情報検出用カセッテ１によれば、加速度センサ３１で検知された加速度が１／２・Ｇ以上である異常加速状態が検知された場合、すなわち落下中等の異常状態が生じている場合には、電力供給禁止モードが選択され、バッテリー３０が電力供給配線３９から電気的に切り離され、全ての部位への電力供給が停止されるため、検出部駆動部２１の動作が停止され、例え画像情報検出用カセッテ１が落下の衝撃により破損した場合等でも、画像情報検出部１２へ望ましくない高電圧が印加されることがなく、取扱者の安全性が向上する。なお、バッテリー３０を電力供給用配線３９から電気的に切り離すため、他の回路へ電力が供給されることもなく、確実に取扱者の安全性を向上することができる。
【００５９】
また、電力供給禁止モードが選択された場合には、電力供給禁止モード表示部３９に電力供給禁止モードが選択されたことが表示されるため、取扱者は、電力供給が禁止されていることを容易に知ることができる。
【００６０】
また、加速度センサ３１で検知された加速度が１／２０・Ｇ以上でかつ１／２・Ｇより小さい場合、すなわち画像情報検出用カセッテを搬送している場合等には、電力消費を少なくすることができる。なお、カセッテ１においては、非使用加速度として１／２０・Ｇを用い、危険加速度として１／２・Ｇを用いているが、使用状況に対応させて、任意の加速度を用いることができる。また、本実施の形態においては、加速度が１／２０・Ｇ以下であれば、直ちに使用状態であると見なしたが、例えば一旦非使用状態であると見なされた場合には、その後加速度が１／２０・Ｇ以下となっても所定時間、例えば２秒間は非使用状態であると見なすように構成してもよく、このような場合には、搬送中に１秒間加速度が１／２０・Ｇより小さくとも、その間に電力モードが通常電力モードに切り替わることがなく、一層消費電力を少なくすることができる。
【００６１】
次に、図４および図５を参照して本発明の第２の実施形態である画像情報検出用カセッテ２について説明する。図４は本発明の画像情報検出用カセッテ２の外観図であり、図５は画像情報検出用カセッテ２の要部構成図および回路ブロック図である。なお、図４および図５においては、図１および図２中の要素と同等の要素には同番号を付してあり、それらについての説明は特に必要の無い限り省略する。
【００６２】
制御回路部４０は、検出部駆動部２１と、走査・読出部２２と、揮発性メモリ２３と、着脱可能な不揮発性メモリ２４と、後述する電力供給停止モードが選択された場合には、各部位に供給する電力を制御する電力供給制御部４１と、検出部駆動部２１、走査・読出部２２、揮発性メモリ２３、不揮発性メモリ２４および電力供給制御部４１とに接続され、各部位の動作を制御する制御部４２とを有している。
【００６３】
また、制御部４２は、接続端子３３と、Ｘ線ブザー３４と、マトリクス表示部３６と、電力供給停止モード表示部４４と、光照射部ロック機構３７、画像情報検出部１２における異常状態を検知する検出部センサ４５と、検出部駆動部２１における異常状態を検知する駆動部センサ４６と、走査・読出部２２における異常状態を検知する読出部センサ４７とに接続されている。Ｘ線撮影の前には、撮影メニュー、ＩＤ情報、記録時に必要な印加電圧あるいは読出速度等の種々のデータがシステムコントローラから接続端子３３を介して、制御部４２へ入力される。Ｘ線の照射準備が整った時からＸ線の照射後までの間は、システムコントローラからＸ線レディ信号が制御部４２へ入力される。また、Ｘ線の照射時には、システムコントローラからＸ線照射信号が制御部４２へ入力される。
【００６４】
制御部４２は、検出部センサ４５、駆動部センサ４６または読出部センサ４７において異常状態が検知された場合には、電力供給制御部４１を制御して、電力の供給モードを、揮発性メモリ２３のみに電力を供給し、他の部位への電力供給を停止する電力供給停止モードへ変更する。
【００６５】
バッテリー３０は、電力供給制御部４１へ接続される。電力供給用配線４８は、電力供給制御部４１から画像情報検出部１２、読取光照射部１３、検出部駆動部２１、走査・読出部２２、揮発性メモリ２３、不揮発性メモリ２４、制御部４２、Ｘ線ブザー３４、マトリクス表示部３６および電力供給停止モード表示部へ接続されている。通常電力モードにおいては、バッテリー３０から電力供給制御部４１を介して、各部位へ電力が供給されている。なお、図５において、図面の複雑化を防止するために、電力供給用配線４８の配線状態の記載は省略している。なお、検出部センサ４５、駆動部センサ４６および読出部センサ４７は本発明の異常検知手段として機能し、電力供給制御部４１は本発明の電力供給禁止手段として機能するものである。
【００６６】
以下本実施の形態における画像情報検出用カセッテ２における動作を説明する。画像情報の記録および読み出しの際の動作は、第１の実施形態とほぼ同様であるため説明を省略し、電力供給モードの制御動作について説明する。
【００６７】
検出部センサ４５、駆動部センサ４６または読出部センサ４７において異常状態が検知されていない場合には、制御部２は、電力モードとして、通常電力モードを選択し通常電力モード信号を電力供給制御部２５へ出力する。電流供給制御部４１は各部位へ電力を供給する。
【００６８】
検出部センサ４５、駆動部センサ４６または読出部センサ４７において異常状態が検知された場合には、制御部２は、電力モードとして、電力供給停止モードを選択する。まず、電力供給停止モード表示部４４を電力供給停止モード表示状態へ設定し、また、異常状態の履歴を不揮発性メモリ２４へ記憶させ、読取光照射部１３が固定されていない場合には、光照射部ロック機構３７を作動させて、読取光照射部１３を固定する。その後、電力供給停止モード信号を電力供給制御部４１へ供給する。電力供給制御部４１では、揮発性メモリ２３のみへ電力を供給し、他の部位への電力供給を停止する。なお、この電力供給停止モードは、自動的に解除されることはなく、解除するためには、予め設定された手順による特別な手動操作が必要である。
【００６９】
以上の説明で明らかなように、画像情報検出用カセッテ２によれば、画像情報検出部１２、検出部駆動部２１または走査・読出部２２において、異常状態が検知された場合には、揮発性メモリ２３以外の部位への電力供給が停止されるため、画像情報検出部へ望ましくない電圧が付与されることがなく、取扱者の安全性が向上する。
【００７０】
また、揮発性メモリ２３への電力供給が維持されているため、撮影した画像情報を不揮発性メモリ２４へ記憶させていない場合であっても、画像情報の消滅を防止することができる。なお、揮発性メモリ２３への電力供給が不要な場合には、第１の実施例と同様に、バッテリー３０を電力供給用配線４８から電気的に切り離してもよく、より確実に取扱者の安全性を向上することができる。
【００７１】
なお、各実施の形態においては、画像情報検出部として直接変換・光読み出し方式の画像情報検出部１２を用いたが、これに限定されるものではなく、記録光が照射されることにより蛍光体から発せられた蛍光を記録用光電層に照射し、該照射された蛍光を光電変換して得た信号電荷を蓄積する間接変換方式の画像情報検出部も利用することができる。また、記録光の照射により導電性を呈する光導電層において発生した電荷をＴＦＴを走査駆動させることにより読み出す方式の画像情報検出部等も利用することができる。
【図面の簡単な説明】
【図１】本発明の第１の実施形態である画像情報検出用カセッテの外観図
【図２】図１に示す画像情報検出用カセッテの要部構成図および回路ブロック図
【図３】図１に示す画像情報検出用カセッテの動作の流れを示すフローチャート
【図４】本発明の第２の実施形態である画像情報検出用カセッテの外観図
【図５】図４に示す画像情報検出用カセッテの要部構成図および回路ブロック図
【符号の説明】
１      画像情報検出用カセッテ
１０    ケース
１１    取っ手
１２    画像情報検出部
１３    読取光照射部
２０、４０    制御回路部
２１    検出部駆動部
２２    走査・読出部
２３    揮発性メモリ
２４    不揮発性メモリ
２５、４１    電力供給制御部
２６、４２    制御部
２７    状態判定部
３０    バッテリー
３１    加速度センサ
３２    解除スイッチ
３３    接続端子
３４    Ｘ線ブザー
３５    低消費電力モード表示灯
３６    マトリクス表示部
３７    光照射部ロック機構
３８    電力供給禁止モード表示部
３９、４８    電力供給用配線
４４    電力供給停止モード表示部
４５    検出部センサ
４６    駆動部センサ
４７    読出部センサ
【図１】
2005003755.tif 000003
【図２】
2005003755.tif 000004
【図３】
2005003755.tif 000005
【図４】
2005003755.tif 000006
【図５】
2005003755.tif 000007